(57)【要約】【課題】  長時間にわたり温感を使用者に実感させ得る発熱具を提供すること。【解決手段】  発熱具１は、肌から遠い側に位置する第１の通気層１０ａと、肌に近い側に位置する第２の通気層１０ｂとを備えた収容体３を有し、第１の通気層１０ａと第２の通気層１０ｂとの間に発熱材料２が収容されており、使用者の身体に固定されて使用される。収容体３における肌に近い側の面に、発熱具１を使用者の身体に固定するための固定部７が少なくとも２カ所設けられている。第１の通気層１０ａの透湿度Ａ、第２の通気層１０ｂの透湿度をＢが以下の（１）〜（３）の関係を満たす。（１）Ａ＋１／３Ｂ＝２００〜５００ｇ／ｍ2・２４ｈｒ（２）Ａ＋Ｂ＝２００〜７００ｇ／ｍ2・２４ｈｒ（３）Ｂ＝１００〜４５０ｇ／ｍ2・２４ｈｒ【選択図】    図３
2006204733.tif 000002
【特許請求の範囲】
【請求項１】
肌から遠い側に位置する第１の通気層と、肌に近い側に位置する第２の通気層とを備えた収容体内に、空気との接触により発熱可能な被酸化性金属を含む発熱材料が、該第１の通気層と該第２の通気層との間に収容された、使用者の身体に固定されて使用される発熱具であって、
収容体における肌に近い側の面に、発熱具を使用者の身体に固定するための固定部が少なくとも２カ所設けられており、
第１の通気層の透湿度をＡ（ｇ／ｍ2・２４ｈｒ（ＪＩＳ  Ｚ０２０８））、第２の通気層の透湿度をＢ（ｇ／ｍ2・２４ｈｒ（ＪＩＳ  Ｚ０２０８））としたとき、Ａ及びＢが以下の（１）〜（３）の関係を満たす発熱具。
（１）Ａ＋１／３Ｂ＝２００〜５００ｇ／ｍ2・２４ｈｒ
（２）Ａ＋Ｂ＝２００〜７００ｇ／ｍ2・２４ｈｒ
（３）Ｂ＝１００〜４５０ｇ／ｍ2・２４ｈｒ
【請求項２】
発熱材料が、収容体の収容部に収容されており、該収容部の周縁部に固定部が設けられている請求項１記載の発熱具。
【請求項３】
収容部と固定部との間に伸長部位を有する請求項２記載の発熱具。
【請求項４】
収容部と固定部との間に複数のスリットが形成されている請求項３記載の発熱具。
【請求項５】
第１の通気層及び／又は第２の通気層が収容部から外方へ延出しており、その延出部分に固定部が設けられていると共に収容部と固定部との間にスリットが形成されている請求項４記載の発熱具。
【請求項６】
発熱材料が、被酸化性金属、反応促進剤及び繊維状物を含有し、抄造により形成された発熱シートからなる請求項１記載の発熱具。
【発明の詳細な説明】
【技術分野】
【０００１】
本発明は、使用者の身体に固定されて使用されるタイプの発熱具に関する。
【背景技術】
【０００２】
使用者の肌や下着に貼るタイプの使い捨てカイロにおいては、一般的には、非通気面に粘着部を有し、他面の通気面から一定の酸素が供給され温度をコントロールしている（特許文献１及び２等参照）。一方、カイロの一面を通気性となし、当該面に粘着部を形成したものも知られている。例えば収容袋の一面を通気性となすと共に他面を非通気性となし、通気性の面に一対の粘着剤を塗布した発熱体が提案されている（特許文献３参照）。この発熱体においては粘着剤の間の領域が通気領域になっており、そこから空気が流入するようになっている。特許文献１によれば、通気領域である人体側から熱量伝播が図られるので、省エネルギーで発熱ロスが少なくなるとされている。また外面が非通気性で且つ断熱性を有しているので、体温による使用環境温度の制御が図られ、使用時における環境温度の影響が防止されるとされている。
【０００３】
前記の発熱具を始めとして従来の発熱具においては、使用中の発熱温度の振れを極力小さくすることに努力が払われていた。このことは、異常発熱の防止や十分な温感を得る観点からは重要である。しかし、発熱温度の振れが小さいことに起因して、発熱温度が十分であっても、使用時間の経過と共にその温度に対して身体が馴化し、温感が実感されなくなることが多い。
【０００４】
【特許文献１】特開平１−２５０２５２号公報
【特許文献２】特開平１−２９７０５９号公報
【特許文献３】特開平３−２５１２４３号公報
【発明の開示】
【発明が解決しようとする課題】
【０００５】
従って本発明の目的は、前述した従来技術が有する欠点を解消し得る発熱具を提供することにある。
【課題を解決するための手段】
【０００６】
本発明は、肌から遠い側に位置する第１の通気層と、肌に近い側に位置する第２の通気層とを備えた収容体内に、空気との接触により発熱可能な被酸化性金属を含む発熱材料が、該第１の通気層と該第２の通気層との間に収容された、使用者の身体に固定されて使用される発熱具であって、
収容体における肌に近い側の面に、発熱具を使用者の身体に固定するための固定部が少なくとも２カ所設けられており、
第１の通気層の透湿度をＡ（ｇ／ｍ2・２４ｈｒ（ＪＩＳ  Ｚ０２０８））、第２の通気層の透湿度をＢ（ｇ／ｍ2・２４ｈｒ（ＪＩＳ  Ｚ０２０８））としたとき、Ａ及びＢが以下の（１）〜（３）の関係を満たす発熱具を提供することにより前記目的を達成したものである。
【０００７】
（１）Ａ＋１／３Ｂ＝２００〜５００ｇ／ｍ2・２４ｈｒ
（２）Ａ＋Ｂ＝２００〜７００ｇ／ｍ2・２４ｈｒ
（３）Ｂ＝１００〜４５０ｇ／ｍ2・２４ｈｒ
【０００８】
なお以下の説明において、通気性を表す尺度として透湿度を用い、また透湿度というときには、ＪＩＳ  Ｚ０２０８に従い測定されたものを意味する。
【発明の効果】
【０００９】
本発明の発熱具によれば、使用者の動作に起因して空気の供給量が変化することを利用して、発熱温度にゆらぎを生じさせ、それによって長時間にわたり温感を使用者に実感させることができる。
【発明を実施するための最良の形態】
【００１０】
以下本発明を、その好ましい実施形態に基づき図面を参照しながら説明する。図１には本発明の発熱具の一実施形態の平面図が示されている。図２は図１におけるII−II線断面図である。図１及び図２に示す発熱具１は使用者の身体に固定されて使用されるものである。固定とは、発熱具１を肌に直接固定する場合のみならず、発熱具１を下着に固定する場合も包含する。
【００１１】
発熱具１は縦長の扁平な形状をしている。発熱具１は、発熱材料２及び該発熱材料２を収容する収容体３を備えている。収容体３は扁平であり、複数のシート材を接合部４において環状に貼り合わせて、閉じた空間を有する袋状となされている。この閉じた空間が発熱材料の収容部５になっている。
【００１２】
図２に示すように、収容体３においては、第１の透湿性シート３ａと第２の透湿性シート３ｂとが接合部４において互いに接合されている。発熱具１の装着感を高める観点から、図２に示すように、第２の透湿性シート３ｂの外面には風合いの良好なシート材料である不織布３ｃが配されており、発熱具１の風合いを高める観点から、第１の透湿シート３ａの外面には、不織布３ｄが配されている。第２の透湿性シート３ｂと不織布３ｃとはほぼ同寸である。第１の透湿シート３ａと不織布３ｄ、第２の透湿性シート３ｂと不織布３ｃは、それらの周縁でのみ接合されていても良いし、シート面内で部分的に接合されていても良い。第１の透湿性シート３ａ及び不織布３ｄは、発熱具１の使用時に、使用者の肌から遠い側に位置する第１の通気層１０ａとして作用するものである。一方、第２の透湿性シート３ｂ及び不織布３ｃは、使用者の肌に近い側に位置する第２の通気層１０ｂとして作用するものである。つまり、発熱具１は、両面通気性のものであり、第２の透湿性シート３ｂ及び不織布３ｄの側が肌と対向するように使用者の身体に固定される。なお、本実施形態においては、第１の通気層１０ａは第１の透湿性シート３ａ及び不織布３ｄからなり、第２の通気層１０ｂは第２の透湿性シート３ｂ及び不織布３ｃからなるが、第１及び２の通気層１０ａ，１０ｂはそれぞれ透湿性シート３ａ、３ｂのみで構成されていてもよい。
【００１３】
収容体３は、長手方向に延びる側縁Ｓ１及びＳ２を有している。また幅方向に延びる端縁Ｅ１及びＥ２を有している。一方の側縁Ｓ１は、収容体３の縦中心線Ｌに対して外向きの凸状となるような曲線形状をしている。他方の側縁Ｓ２は、縦中心線Ｌに向かう内向きの凸状となるような曲線形状をしている。端縁Ｅ１，Ｅ２はそれぞれ外向きの凸状となるような曲線形状をしている。これら側縁Ｓ１，Ｓ２及び端縁Ｅ１，Ｅ２は滑らかに連接しており、収容体全体としてみると湾曲した長円形となっている。このような形状を有する収容体を備えた発熱具１は、図３に示すように、人体の肩部に取り付ける場合のフィット性が高いものとなる。この場合、図３に示すように、側縁Ｓ２が首に近い側に位置し、側縁Ｓ１が首から遠い側に位置するように発熱具１を取り付ける。
【００１４】
図１及び図２に戻ると、第１の透湿性シート３ａ及び不織布３ｄは、収容体３の長手方向において、収容部５を囲繞する接合部４から外方に延出しており一対の耳部６，６を形成している。耳部６は、接合部４寄りに位置する基部６ａと、先端寄りに位置し且つ基部６ａと連接する先端部６ｂとから構成されている。
【００１５】
各先端部６ｂにおける第２の透湿性シート側の面上、即ち肌に近い側の面上には、発熱具１を使用者の身体に固定するための固定部７が設けられている。固定部７は、発熱材料２の収容部５よりも外方の位置（周縁部）に設けられている。固定部７は２カ所設けられており、各固定部７は、収容体３の縦中心線Ｌ上にそれぞれ設けられている。各固定部７は、収容体３において、固定部間の距離が最も遠くなる位置に設けられている。このように固定部７を設けることで、発熱具１を使用者の身体に固定した場合、使用者の動作に起因して生じる発熱具１と身体との間の隙間Ｖ（図４参照）が変化しやすくなる。その結果、発熱具１に流入する空気の量が変化しやすくなり、発熱具１の発熱温度にゆらぎが生じやすくなる。発熱具１と身体との間の隙間を一層変化させやすくする観点から、固定部７は、接合部４から５〜２０ｍｍ、特に５〜１０ｍｍ離間して形成されていることが好ましい。
【００１６】
固定部７としては、発熱具１を使用者の身体に固定可能な様々な手段を用いることができる。典型的には、先端部６ｂに粘着剤を施すことによって固定部７を形成することができる。粘着剤としては、当該技術分野において通常用いられているものと同様のものを用いることができる。例えばゴム系樹脂、アクリル系樹脂、酢酸ビニル系樹脂などを用いることができる。これらの樹脂は非転着性であることが好ましい。
【００１７】
発熱材料２の収容部５と固定部７との間の位置、即ち耳部７の基部６ａは伸長可能になっている。基部６ａは、２つの固定部７，７を結ぶ方向、つまり縦中心線Ｌの方向に伸長可能になっている。本実施形態においては、基部６ａに多数のスリット８を形成することによって基部６ａを伸長可能にしてある。詳細には次の通りである。
【００１８】
基部６ａにおいて、各スリット８は縦中心線Ｌと交差する方向に延びている。これによって、発熱具１をその長手方向に引っ張ると、スリット８が開口して基部６ａが伸長する。その結果、例えば図３に示すように発熱具１を使用者の身体に取り付けた場合、使用者の動作に基部６ａが追従して伸長し、使用者につっぱり感を与えにくくなる。また固定部７が身体から外れにくくなる。図１においては、スリット８は縦中心線Ｌと直交する方向に延びているが、スリット８が縦中心線Ｌと交差していれば直交する必要はない。尤も、基部６ａの伸長性を考慮すると、スリット８と縦中心線Ｌとのなす角度は直角に近いほど好ましい。
【００１９】
各基部６ａにおいて、スリット８は２列に縦列して規則的に形成されている。隣り合う列においてスリット８は互いに半ピッチずれている。基部６ａに十分な伸長性を付与する観点から、各スリット８の長さは５〜５０ｍｍ、特に１０〜３０ｍｍであることが好ましい。同様の理由により、各列におけるスリット間の距離は２〜１０ｍｍ、特に３〜７ｍｍであることが好ましく、また列間の距離は２〜１０ｍｍ、特に３〜７ｍｍであることが好ましい。
【００２０】
各基部６ａに伸長性を付与する手段としてスリット８を採用すると、次の（イ）及び（ロ）のメリットもある。（イ）スリット８が開口して形成された開口部を通じて、肌に近い側に位置する第２の透湿性シート３ｂへ空気が流入しやすくなる。従って、発熱反応が促進される。（ロ）固定部７の粘着剤の粘着力が低下することを防止できる。この理由は次の通りである。発熱反応によって若干の水蒸気が発熱具１から発生する。その水蒸気が発熱具１と使用者の身体との間に滞留すると、それ起因して粘着剤の粘着力が低下する。しかし水蒸気は、スリット８が開口して形成された開口部を通じて外部へ放出されやすくなる。従って、粘着剤の粘着力が低下しづらい。
【００２１】
基部６ａに伸長性を付与するためには、基部６ａにスリット８を形成することに代えて、耳部６を、第１の透湿性シート３ａの延出部から形成せず、図５に示すように、第１の透湿性シート３ａとは別材のシート９から構成し、該シート９として伸長性のあるものを用いればよい。例えばシート９としてエラストマーシートを用いればよい。
【００２２】
既に説明した通り、本実施形態の発熱具１は、例えば図３に示すように使用者の肩部に取り付けられる。また発熱具１は肌に近い側の面及び肌から遠い側の面の両方から空気が流入する両面通気性のものである。このような構成の発熱具１は、発熱温度にゆらぎが生じるものとなる。その結果、従来の発熱具と異なり、温度に対して身体が馴化しづらく、長時間にわたり温感を使用者に実感させることができる。この理由は次の通りである。
【００２３】
本実施形態の発熱具１を身体に取り付けた状態で使用者が動作をすると、その動作に起因して図４に示すように、発熱具１と身体との間の隙間Ｖが変化する。発熱具１は両面通気性のものなので、発熱具１と身体との間の隙間Ｖが変化するとその変化に応じて第２の透湿性シート３ｂ側、即ち肌に近い側に位置する面側から発熱具１へ流入する空気の量が変化する。その結果、発熱具１の発熱温度が変化してゆらぎが生じる。この場合、発熱具１が身体に密着してしまうと、肌に近い側に位置する面側からの空気の流入が遮断されて発熱反応が低下ないし停止して発熱温度が低下してしまう懸念がある。しかし本実施形態の発熱具１は、先に述べた通り両面通気性なので、肌から遠い側に位置する面側からの空気の流入が常に確保されているので（図３参照）、発熱温度の低下の懸念はない。
【００２４】
特筆すべきは、本実施形態の発熱具１は、発熱温度にゆらぎを生じさせた上で、その平均発熱温度が、片面通気性である従来の発熱具の平均発熱温度と同程度になることである。これによって、必要十分な発熱温度を確保した上で、温感を持続させることができる。この目的のために、本実施形態の発熱具１においては、第１の通気層１０ａの透湿度をＡ（ｇ／ｍ2・２４ｈｒ）、第２の通気層１０ｂの透湿度をＢ（ｇ／ｍ2・２４ｈｒ）としたとき、Ａ及びＢが以下の（１）〜（３）の式を満たすように各透湿性シート３ａ，３ｂが選択される。
【００２５】
（１）Ａ＋１／３Ｂ＝２００〜５００ｇ／ｍ2・２４ｈｒ
（２）Ａ＋Ｂ＝２００〜７００ｇ／ｍ2・２４ｈｒ
（３）Ｂ＝１００〜４５０ｇ／ｍ2・２４ｈｒ
【００２６】
式（１）は、発熱具１の平均温度に関するものである。発熱具１は両面通気性なので、発熱具１全体の通気性は、第１の通気層１０ａの透湿度と、第２の通気層１０ｂの透湿度の和となる。しかし、肌に近い側に位置する第２の透湿性シート３ｂは、その一部が使用者の身体に接していて、そのすべての部分から空気が流入しづらい。そこで本実施形態においては、第２の通気層１０ｂを通じて空気が流入する面積、即ち、空気の流入に寄与する面積は、発熱具１の使用時間にわたり平均して第２の通気層１０ｂの全体の面積の１／３であると考え、第２の通気層１０ｂの透湿度Ｂに係数１／３を乗じてある。式（１）の下限値を２００ｇ／ｍ2・２４ｈｒ以上とすることで、使用者に温感を実感させるに足る発熱温度を得ることができる。また式（１）の上限値を５００ｇ／ｍ2・２４ｈｒ以下とすることで、発熱具１への空気の流入が甚だしくなることが防止され、発熱温度の過度の上昇が防止される。皮膚平均温度を３９〜４２℃、発熱具の平均温度を４０〜４５℃に制御するには、式（１）の値は２００〜５００ｇ／ｍ2・２４ｈｒ、特に２００〜３５０ｇ／ｍ2・２４ｈｒであることが好ましい。
【００２７】
式（２）は、発熱具１の最高温度に関するものである。式（１）に関して説明した通り、肌に近い側に位置する第２の通気層１０ｂにおける空気流入についての平均寄与面積は１／３であるが、発熱具１の使用時間中に第１及び第２の通気層１０ａ，１０ｂの両面全体から空気が流入する場合がある。そのような場合には、発熱具１の平均温度を前記の式（１）でコントロールしても、突発的に温度が上昇してしまうことがある。突発的な温度上昇を防止する観点から、式（２）においては、発熱具１全体の透湿度、即ち第１の通気層１０ａの透湿度と、第２の通気層１０ｂの透湿度の和によって、発熱具１の最高温度をコントロールしている。式（２）の上限値を７００ｇ／ｍ2・２４ｈｒ以下とすることで、突発的な温度上昇を防止することができる。また式（２）の下限値を２００ｇ／ｍ2・２４ｈｒ以上とすることで、使用者に温感を実感させるに足る発熱温度を得ることができる。突発的な発熱具の温度を５０℃以下にするためには、式（２）の値は２００〜７００ｇ／ｍ2・２４ｈｒ、特に２００〜５００ｇ／ｍ2・２４ｈｒであることが好ましい。
【００２８】
式（３）は、先に説明した式（１）及び（２）と異なり、肌に近い側に位置する第２の通気層１０ｂの透湿度のみ規定している。この理由は、式（３）が発熱具１の温度のゆらぎに関するものだからである。本実施形態の発熱具１においては、先に説明した通り、肌から遠い側に位置する第１の通気層１０ａによって空気の十分な流入を確保しつつ、肌に近い側に位置する第２の通気層１０ｂを通じて流入する空気の量の変化を利用して発熱温度にゆらぎを生じさせている。従って、第２の通気層１０ｂの透湿度を適切にコントロールすることで、発熱温度のゆらぎの幅を調整できる。式（３）の下限値を１００ｇ／ｍ2・２４ｈｒ以上とすることで、発熱温度のゆらぎの幅が過度に小さくならないので、使用者に温感の持続を実感させることができる。式（３）の上限値を４５０ｇ／ｍ2・２４ｈｒ以下とすることで、ゆらぎの幅が過度に大きくなることが防止されるので、突発的な温度上昇を防止することができる。式（３）の値は１００〜４５０ｇ／ｍ2・２４ｈｒ、特に２５０〜４００ｇ／ｍ2・２４ｈｒであることが好ましい。
【００２９】
第１の通気層１０ａの透湿度そのものの値については特に制限はないが、前記の式（１）〜（３）との関係で１００〜４００ｇ／ｍ2・２４ｈｒ、特に１５０〜３００ｇ／ｍ2・２４ｈｒであることが好ましい。また、第１の透湿性シート３ａと第２の透湿性シート３ｂとの透湿度に大小関係はなく、どちらが大きくてもよい。或いは両者の透湿度が同じであってもよい。
【００３０】
なお、本実施形態においては、肌に近い側の面及び肌から遠い側の面の何れも、その面の全域が通気性を有しているが、発熱温度の制御等の理由により、当該面の一部に通気性を有していない領域を形成することがある。例えば、発熱具の一面が、透湿度ｘ（ｇ／ｍ2・２４ｈｒ）の通気層から構成されていて、且つ該透湿性シートの面積のうちのｙ（％）を難透湿性シートで目張りして、通気性を有していない領域を形成する場合がある。その場合、当該面の透湿度はｘ×（１００−ｙ）となる。
【００３１】
また本実施形態においては、第１の通気層１０ａは、第１の透湿性シート３ａ及び不織布３ｃからなり、不織布３ｃは第１の透湿性シート３ａに比較して透湿度が十分に大きいから、第１の通気層１０ａの透湿度は、第１の透湿性シート３ａの透湿度と実質的に同じになる。同様に、第２の通気層１０ｂの透湿度は、第２の透湿性シート３ｂの透湿度と実質的に同じになる。
【００３２】
透湿性シート３ａ，３ｂとしては、水蒸気及び空気は透過させるが水は透過させにくいフィルムが用いられる。透湿性シートとしては、炭酸カルシウムを練り込み延伸して作る微細孔型、繊維を漉くことによる抄紙型等が挙げられる。緻密性、内容物の漏れ防止性、温度制御等の理由により、微細孔型が主に用いられる。微細孔型の透湿性シートとしては、例えば微細孔を有するポリオレフィン系フィルムなどが挙げられる。
【００３３】
図４に示すように、発熱具１と使用者の身体との間の隙間Ｖを確実に形成するためには、発熱具１はある程度の剛性を有していることが好ましい。ある程度の剛性を有していれば、発熱具１が身体に完全に密着することが防止され、肌に近い側に位置する第２の透湿性シート３ｂを通じての空気の流入を確保できるからである。曲げ剛性を実現するためには、収容具３に収容される発熱材料として、後述する発熱シートを用いればよい。
【００３４】
収容具３に収容される発熱材料としては、発熱シートを用いることができる。或いは発熱粉体を用いることもできる。発熱シートは、被酸化性金属を含み、更に反応促進剤、繊維状物、電解質及び水を含んでいる。発熱粉体は、被酸化性金属を含み、更に反応促進剤、保水剤、電解質及び水を含んでいる。
【００３５】
好ましい発熱シートは、６０〜９０重量％の被酸化性金属、５〜２５重量％の反応促進剤及び５〜３５重量％の繊維状物を含む成形シートに、該成形シート１００重量部に対して、１〜１５重量％の電解質を含む電解質水溶液が３０〜８０重量部含有されて構成されている。このような発熱シートの好ましい製造方法としては、例えば本出願人の先の出願に係る特開２００３−１０２７６１号公報に記載の湿式抄造法が挙げられる。一方、好ましい発熱粉体は、３０〜８０重量％の被酸化性金属、１〜２５重量％の反応促進剤、３〜２５重量％の保水剤、０．３〜１２重量％の電解質、２０〜６０重量％の水から構成されている。発熱シートや発熱粉体を構成する各種材料としては、当該技術分野において通常用いられているものと同様のものを用いることができる。また、前記の特開２００３−１０２７６１号公報に記載の材料を用いることもできる。
【００３６】
発熱材料は、収容部５の環状の接合部４で閉じられた面積に対し、０．０５〜０．４ｇ／ｃｍ2の充填割合で充填されていることが好ましい。発熱材料の充填割合がこの範囲内であれば、発熱材料の厚みが過度に薄くならず、放熱を抑制でき所望の温度を得ることができる。また、この範囲内であれば、蓄熱量が過度に大きくならず、ゆらぎにより上昇した温度を人体に速やか拡散することができ、火傷等が起こることを防止し得る。所望の温度を維持し、ゆらぎにより上昇した温度を速やかに人体に拡散するためには、充填割合は、特に０．０７〜０．３ｇ／ｃｍ2、特に０．１〜０．２ｇ／ｃｍ2であることが好ましい。
【００３７】
以上、本発明をその好ましい実施形態に基づき説明したが、本発明は前記実施形態に制限されない。例えば図３及び図４においては発熱具１を、使用者の肩部に適用した例を示したが、本発明の発熱具の適用部位はこれに限られない。例えば、腰部、頸部、腕や脚の関節、腹部などに本発明の発熱具を適用できる。
【００３８】
また前記実施形態においては、第１の透湿性シート３ａ及び不織布３ｄのラミネートが接合部４から外方に延出して一対の耳部６を形成していたが、これに代えて第２の透湿性シート３ｂを延出させるか、或いは第１及び第２の透湿性シート３ａ，３ｂの双方を延出させて耳部を形成してもよい。
【００３９】
また前記実施形態においては固定部７が２カ所設けられていたが、発熱具１と使用者の身体との間に、空気の流入が可能な隙間を設けられる範囲において、固定部を３カ所以上設けてもよい。
【００４０】
また前記実施形態においては、固定部７が収容部５よりも外方の位置に設けられていたが、これに代えて固定部を収容部上に設けてもよい。
【００４１】
また前記実施形態においては、収容部５と固定部７との間に伸長部位が設けられていたが、発熱具の形状や具体的な用途によっては該伸長部位を設けなくてもよい。
【００４２】
更に前記実施形態においては、収容部５は単一の空間であったが、これに代えて図６に示すように、環状の接合部４の内側に、縦中心線及び横中心線に沿って更に接合部４ａ，４ｂを形成し、複数個に区画された小収容部５ａ〜５ｄを形成してもよい。このような小収容部を形成することは、該収容部に発熱粉体を収容する場合に有利である。粉体の甚だしい偏りを抑制できるからである。
【実施例】
【００４３】
以下、実施例により本発明を更に詳細に説明する。しかしながら、本発明の範囲はかかる実施例に制限されない。
【００４４】
〔実施例１〕
＜スラリーの配合＞
・繊維状物：パルプ繊維（ＮＢＫＰ、製造者：フレッチャー  チャレンジ  カナダ、商品名「Ｍａｃｋｅｎｚｉｅ」、ＣＳＦ１４０ｍｌ）８重量％
・被酸化性金属：鉄粉（同和鉄粉鉱業（株）製、商品名「ＲＫＨ」）８４重量％
・反応促進剤：活性炭（日本エンバイロケミカル（株）製、商品名「カルボラフィン」）８重量％
前記原料組成物固形分（繊維状物、被酸化性金属及び保水剤の合計）１００重量部に対し、カチオン系凝集剤であるポリアミドエピクロロヒドリン樹脂（星光ＰＭＣ（株）製、商品名「ＷＳ４０２０」）０．７重量部およびアニオン系凝集剤であるカルボキシメチルセルロースナトリウム（第一工業製薬（株）製、商品名「ＨＥ１５００Ｆ」）０．１８重量部を添加した。更に、水（工業用水）を、固形分濃度が１２重量％となるまで添加した。
【００４５】
＜抄紙条件＞
前記原料組成物を用い、抄紙ヘッドの直前で０．３重量％に水希釈し、傾斜型短網抄紙機によって、ライン速度１５ｍ／分にて抄紙して湿潤状態の成形シートを作製した。
【００４６】
＜脱水・乾燥条件＞
成形シートをフェルトで挟持して加圧脱水し、そのまま１４０℃の加熱ロール間に通し、含水率が５重量％以下になるまで乾燥した。乾燥後の坪量は４５０ｇ／ｍ2、厚さは０．４５ｍｍであった。このようにして得られた成形シート（発熱中間成形体）の組成を熱重量測定装置（セイコーインスツルメンツ社製、ＴＧ／ＤＴＡ６２００）を用いて測定した結果、鉄８４重量％、活性炭８重量％、パルプ８重量％であった。
【００４７】
＜電解質水溶液添加条件＞
得られた成形シートを３枚重ね合わせてから、下記電解質水溶液を所定量含浸させて発熱シートを作製した。発熱シートの水分含量及び発熱シートにおける各成分の配合割合を表１に示す。
【００４８】
＜電解液＞
電解質：精製塩（ＮａＣｌ）
水：工業用水
電解液濃度：５重量％
【００４９】
【表１】
2006204733.tif 000003
【００５０】
＜収容体への収容＞
図１及び図２に示す発熱具を製造した。透湿性シート３ａ，３ｂとして、ポリエチレン製の多孔質透湿性フィルムを用いた。透湿度は表２に示す通りであった。第１の透湿性シート３ａの外面には、坪量４０ｇ／ｍ2のナイロン系不織布３ｄをラミネートした。また第２の透湿性シート３ｂの外面にも、坪量４０ｇ／ｍ2ナイロン系不織布３ｃを配した。この収容体の中に発熱シート５．５ｃｍ×１０ｃｍ（１０．７ｇ）を収容した。これにより、図１及び図２に示す発熱具を得た。このとき、収容部５の環状の接合部４で閉じられた面積は７５ｃｍ2であり、充填割合は０．１４ｇ／ｃｍ2であった。
【００５１】
〔実施例２及び３〕
透湿性シート３ａ，３ｂとして、表２に示す透湿度を有するものを用いた以外は実施例１と同様にして発熱具を得た。
【００５２】
〔実施例４〕
吸水性ポリマー（サンダイヤポリマー社製  商品名  アクアパールＡ３）１０重量部、鉄粉（同和鉄粉工業社製 商品  ＲＫＨ）３６重量部を混合した。得られた混合物に、窒素気流下で２．５重量％の食塩水４０重量部を攪拌しながら噴霧した。これにより、吸水した吸水性ポリマー表面に鉄粉が付着した鉄粉付着物を調製した。窒素気流下にこの鉄粉付着物を攪拌しながら、活性炭（武田薬品工業社製  商品名  カルボラフィン）２重量部、バーミキュライト（カキウチマテリアル社製）１２重量部を加え発熱粉体を得た。
【００５３】
この発熱粉体を用いて図６に示す発熱具を製造した。透湿性シート３ａ，３ｂとしては、表２に示す透湿度を有するものを用いた。各小収容部５ａ〜５ｄにはそれぞれ５ｇの発熱粉体を窒素気流下に充填した。このとき、収容部５の環状の接合部４で閉じられた面積は７５ｃｍ2であり、充填割合は０．２７ｇ／ｃｍ2であった。
【００５４】
〔実施例５〕
透湿性シート３ａ，３ｂとして、表２に示す透湿度を有するものを用いた以外は実施例４と同様にして発熱具を得た。
【００５５】
〔比較例１〕
第１の透湿性シートとして表２に示すものを用いた。また第２の透湿性シートに代えて難透湿性シートを用いた。これら以外は実施例１と同様にして発熱具を得た。
【００５６】
〔比較例２〕
第２の透湿性シートとして１００ｇ／ｍ2・２４ｈｒのものを用い且つ該シートのうち１／３の面積を難透湿性シートで目張りした。また各小収容部５ａ〜５ｄに充填する発熱粉体の量をそれぞれ５ｇとした。これら以外は実施例４と同様にして発熱具を得た。この発熱具においては、第２の透湿性シートの１／３の面積が目張りされているので、透湿度は、元のシートの２／３に減じられている。
【００５７】
〔比較例３〕
第１の透湿性シートとして表２に示すものを用いる以外は比較例２と同様にして発熱具を得た。
【００５８】
〔比較例４及び５〕
透湿性シート３ａ，３ｂとして、表２に示す透湿度を有するものを用いた以外は実施例４と同様にして発熱具を得た。
【００５９】
〔評価〕
得られた発熱体を２５℃の環境下で被験者の肩に装着した。発熱具直下の皮膚及び発熱体の上部に薄型の温度センサーを取り付けた。皮膚温度及び発熱体温度を１０秒間隔で測定した装着後１時間から４時間までの間の皮膚温度及び発熱体温度の平均温度及び標準偏差（σ）を算出した。その結果を表２に示す。表２には最高温度及び平均温度＋３σの値もあわせて記載されている。平均温度＋３σの値を記載した理由は、温度の変動が正規分布している場合、温度の変動幅が標準偏差の３倍以内に入る確率は９９％以上であることから、平均温度＋３σの値を超えて温度が変動することは統計学上希有だからである。
【００６０】
また、実施例２及び比較例３の方法により得られた発熱体を２５℃の環境下で被験者１０名に装着してもらい、装着後、１時間から４時間までの間の３０分毎に温感評価を下記の評価基準で点数化した。その平均値を表３に示す。
４：十分に温感を感じる。
３：やや温感を感じる。
２：あまり温感を感じない。
１：ほとんど温感を感じない。
【００６１】
【表２】
2006204733.tif 000004
【００６２】
【表３】
2006204733.tif 000005
【００６３】
表２に示す結果から明らかなように、実施例の発熱具は、温度の標準偏差の値が大きく、発熱温度にゆらぎが生じていることが判る。また実施例の発熱具は、発熱温度にゆらぎが生じているにもかかわらず、最高温度及び平均温度＋３σの値は高くなっておらず、火傷等を引き起こすような温度上昇等が起こっていないことが判る。
【００６４】
また、表３に示す結果から明らかなように、皮膚平均温度がほぼ同等の実施例２と比較例３との温感評価の結果から、長時間の温感の維持に、発熱温度のゆらぎを生じさせることが有効であることが判る。
【図面の簡単な説明】
【００６５】
【図１】本発明の発熱具の一実施形態を示す平面図である。
【図２】図１におけるII−II線断面図である。
【図３】図１に示す発熱具の使用形態の一例を示す図である。
【図４】図３における要部拡大図である。
【図５】本発明の発熱具の別の実施形態を示す要部断面図である。
【図６】本発明の発熱具の更に別の実施形態を示す平面図である。
【符号の説明】
【００６６】
１  発熱具
２  発熱シート
３  収容体
３ａ  第１の透湿性シート
３ｂ  第２の透湿性シート
４  接合部
５  収容部
６  耳部
７  固定部
８  スリット
１０ａ  第１の通気層
１０ｂ  第２の通気層
【図１】
2006204733.tif 000006
【図２】
2006204733.tif 000007
【図３】
2006204733.tif 000008
【図４】
2006204733.tif 000009
【図５】
2006204733.tif 000010
【図６】
2006204733.tif 000011